(57)【特許請求の範囲】
【請求項１】
シート状体で形成する薄型の袋部であって、
上記袋部の袋面に、内側に折り込まれて３重に重合する線状の折り込み重合部を複数本形成するとともに、
これら折り込み重合部が交差する交差部を形成し、
上記袋面における外周縁部において、折り込み重合部の重合状態を固定した
薄型袋部の厚み出し構造。
【請求項２】
前記シート状体を方形状に形成するとともに、
前記複数本の折り込み重合部を、シート状体の辺に沿って縦横に形成した
請求項１に記載の
薄型袋部の厚み出し構造。
【請求項３】
硬質の板部の少なくとも一側縁部に、紙葉類を挟持する挟持手段を有した紙葉類ホルダであって、
上記板部の少なくとも片面に、前記請求項１または請求項２に記載の薄型袋部の厚み出し構造を有する袋部を形成した
紙葉類ホルダ。
【請求項４】
シート状体で形成される袋状容器であって、
上記袋状容器の袋面に、前記請求項１または請求項２に記載の薄型袋部の厚み出し構造を用いた
袋状容器。
【発明の詳細な説明】
【０００１】
【発明の属する技術分野】
この発明は、例えば写生や植物観察、社会科見学等で小学生低学年生が使用するのに適したような紙葉類ホルダや、各種携行品や事務用品を収納したり、商品を包装したりするのに用いられる袋状容器等に関し、より詳しくは、未使用のうちは薄い形態であるが、使用時には厚みの厚い物品を入れることができるような袋部構造と、この袋部を用いた物品に関する。
【０００２】
【従来の技術】
上述例の紙葉類ホルダには、例えば登録実用新案台３０２５１５５号に記載のものがある。この紙葉類ホルダは、長方形板状の板部の上端縁に、折り返すと磁石により板部に吸着されるクリップを有し、その反対側の面に、袋状のケースを有した構造である。
【０００３】
このような紙葉類ホダでは、紙を挟んで止めれば、文字や絵を書くことができる上に、裏側のケースには、ノートや鉛筆、採集品等を入れることができるので大変便利である。
【０００４】
しかし、上記ケースは、薄い合成樹脂製シートを熱溶着(ウェルダー)して取付けたものであり、鉛筆やルーペ等、ある程度厚みを有する物品を入れられるように立体的に形成されている。このため、何も入れないときでも厚みがあり、商品としての管理ではスペースを取る上に、使用しない時には邪魔になる。また、立体形状に形成したケースを取付けるため、加工に手間と費用がかかるという難点も有する。
【０００５】
【解決すべき課題及びそのための手段】
そこでこの発明は、袋部の形成に際して、厚みのある物品を入れられるうえに普段スペースを取らずにすみ、製造に費用も手間も掛からないようにすることを主たる課題とする。
【０００６】
そのための手段は、シート状体で形成する薄型の袋部であって、上記袋部の袋面に、内側に折り込まれて３重に重合する線状の折り込み重合部を複数本形成するとともに、これら折り込み重合部が交差する交差部を形成し、上記袋面における外周縁部において、折り込み重合部の重合状態を固定した薄型袋部の厚み出し構造であることを特徴とする。
【０００７】
すなわち、袋部の形成に当っては、厚み出しを可能にする側の袋面を形成するシート状体を、複数本の折り込み重合部と交差部ができるように折って、この状態のまま、例えば熱溶着や縫着、接着等の適宜の手段で所定の位置に取付ければよい。
【０００８】
なお、上記複数本の折り込み重合部の形成のときには、物品を出し入れする袋口が一端に形成できるように配列するもよく、また、複数本の折り込み重合部で囲む部分を形成し、該部分に袋口を形成するようにするもよい。
【０００９】
折り込み重合部ができるように折っているので、袋部の形態は偏平である。そして使用に際しては、袋部に物品等を入れれば、折り込み重合部の重合が外れ、厚みのある物品を収納することができるとともに、折り込み重合部同士が交差する交差部でも重合が外れ、さらなる厚み出しが可能となる。
【００１０】
前記シート状体を方形状に形成するとともに、前記複数本の折り込み重合部を、シート状体の辺に沿って縦横に形成するとよい。この場合には、同一幅で一直線状に形成すると折曲が簡単である。折り込み重合部の形成が袋部の形状に合わせて容易に行えるとともに、横に延びる折り込み重合部の存在のため、袋口を閉じても充分な厚み出しを行えるとともに、安定した形態に厚み出しが行えるからである。
【００１１】
また、上記折り込み重合部は同一の方向に複数本重ねて形成するもよい。折り返し重合部の幅が狭くとも厚み出しを大きくできる。
【００１２】
さらに、複数本の折り込み重合部は、意匠感を重視して、例えば細長い三角形状に形成したり、このような折り込み重合部を複数重ねたりするもよい。
【００１３】
別の手段は、硬質の板部の少なくとも一側縁部に、紙葉類を挟持する挟持手段を有した紙葉類ホルダであって、上記板部の少なくとも片面に、前記薄型袋部の厚み出し構造を有する袋部を形成した紙葉類ホルダであることを特徴とする。
【００１４】
袋部の形成は、シート状体を折り曲げてからその外周縁を板部の片面に溶着等するだけでよいので、簡単で費用も低減できる。また、袋部は板部に張り付いた状態で平たい形状であるので、物品を入れない時はかさ張らないですむのでよい。
【００１５】
さらに別の手段は、シート状体で形成される袋状容器であって、上記袋状容器の袋面に、前記薄型袋部の厚み出し構造を用いた袋状容器であることを特徴とする。
【００１６】
袋状容器の形成は、例えば、袋状容器の両面を形成する大きさのシート状体を用い、このシート状体に複数本の折り込み重合部を形成するとともに、半分に折り、この折曲により対応する部分同士を袋口を残して接合すればよい。折って接合するだけでよいので、加工は簡単で費用を抑えることもできる。また、袋状容器は、シート状体を重ねた偏平な形状であるので、コンパクトで場所を取らず、取扱いも容易である。
【００１７】
【発明の実施の形態】
この発明の実施の形態を、以下図面を用いて説明する。
（実施の形態１）
図１は、紙葉類ホルダ１（以下、ホルダという）の斜視図であり、この図に示したようにホルダ１は、縦長長方形の板部２の上端縁に、挟持手段としての挟持板３をヒンジ部４を介して一体に設けている。板部２と挟持板３はボール紙や合成樹脂等からなる板状の芯材を表裏２枚の合成樹脂シートからなる被覆材で被覆し、縁部や上記ヒンジ部４を熱シールして形成している。
【００１８】
上記板部２は、その上端部に磁石が吸着する性質の金属板５を内蔵し、一方挟持板３には、中央に形成した手提げ孔６の両側部分に磁石７，７を内蔵している。図中８は芯材なしで形成したつまみ部であり、挟持板３は図面における背面側に開閉する。
【００１９】
そして板部２における挟持板３が開閉するのとは反対側の、図面における表面側には、紙葉類やノート、図鑑、鉛筆、ルーペなどの物品を収納できる袋部９を形成している。この袋部９は、１つの袋面９ａを有する構造で、透明または半透明の合成樹脂製のシート状体１０で形成している。板部２への取り付けは、板部２を形成する時の被覆材の熱シールと同時に熱シールにより行う。
【００２０】
この熱シールに先だって、シート状体１０は、図２に示したように折曲して、袋部９の厚み出しが行えるようにする。すなわち、袋部９の袋面９ａに、内側に折り込まれて３重に重合する線状の折り込み重合部１１，１１，１２を複数本形成するとともに、これら折り込み重合部１１，１１，１２を交差させて交差部１３を形成する。
【００２１】
具体的には、例えば図２の上段に示した展開図のように折曲するとよい。図中破線は山折り線、一点鎖線は谷折り線である。まず、縦長長方形状に形成したシート状体１０は、中段に示したように、その左右両側部の２か所に、縦に同一幅で一直線状に延びる折り込み重合部１１，１１を形成する。この折り込み重合部１１，１１は、内側に適宜幅、Ｚ形に折り込んで形成するもので、該部分では、シート状体１０は３重に重合する。この折り込み重合部１１，１１の形成に際しては図示したように表に出る折り返し部分１１ａを外側に向けるも、あるいは内側に向けるもよい。
【００２２】
そして次に、下段に示したように、下部に対して、横に同一幅で一直線状に延びる折り込み重合部１２を１本形成する。この折り込み重合部１２の形成も、上述と同様である。図中１２ａは、表に現れる折り返し部分である。
【００２３】
複数本の折り込み重合部１１，１１，１２を上述のように形成すると、上端が物品の出し入れを行う袋口１４となる。
【００２４】
このように折曲を行ったシート状体１０は、板部２に当てて、袋口１４となる上端縁を除く周縁部に熱シールを行い固定する。
【００２５】
この袋部９の上方には、図１に示したように、ホック１５の係脱で開閉する蓋部材１６を、同じく熱シールで固定している。
【００２６】
板部２の四隅に形成した孔１７は、吊下等のために紐（図示せず）を通すための孔で、鳩目を取付けて形成している。
【００２７】
このように構成したホルダ１では、物品を収納可能な袋部９を有するが、この袋部９は図１に示したように偏平である。しかし、蓋部材１６を開けて袋部９の袋口１４を開いて物品を入れれば、袋部９は、縦２本の折り込み重合部１１，１１が広がって表面側に厚み出しできるとともに、下部に形成した横１本の折り込み重合部１２も広がって、袋部９の袋面９ａが浮き上がった状態になって、厚み出しできる。
【００２８】
このため、厚みのある物品を収容できる通常は薄く偏平な袋部９を形成でき、ホルダ１の管理に際してはかさ張らないので、取扱いや費用の点で負担を軽減できる。しかもその形成は、シート状体１０を折って接合するだけであるので、簡単で、費用を抑えることもできる。
【００２９】
また、複数本の折り込み重合部１１，１１，１２は、縦横に形成しているので、折り込み重合部１１，１１，１２の形成が袋部９の形状に合わせて容易に行える。さらに、横に延びる折り込み重合部１２の存在のため、袋口１４を閉じても充分な厚み出しを行えるとともに、安定した形態に厚み出しが行えるので、厚みのある物品や、より多くの物品を収納できる利点を有する。
【００３０】
（実施の形態２）
図３は、携行品や事務用品等の適宜の物品を収納するのに適した偏平な袋状容器２１であって、この袋状容器２１は、柔軟な合成樹脂製のシート状体２２で形成され、上端縁にスライド式のファスナ２３を取付けて袋口２４の開閉を可能にした構成で、２つの袋面２１ａ，２１ａを有する。
【００３１】
袋状容器２１を形成するシート状体１０は、半分に折り返した後、上記袋口２４を形成する部分以外の左右両側縁を熱シールして形成するもので、この熱シールの前段で、シート状体２２を折曲しておく。
【００３２】
すなわち、上記実施の形態１と同様の縦２本、横１本の折り込み重合部２５，２５，２６を、二つの袋面２１ａ，２１ａに形成する。具体的には、展開した状態のシート状体２２に、前記実施の形態１の縦２本の折り込み重合部１１に相当する折り込み重合部２５を形成するとともに、２つ折りする折り返し線２７の両側位置に、前記実施の形態１の横１本の折り込み重合部１２に相当する折り込み重合部２６を形成して、上記折り返し線２７で折り返せばよい。この状態で左右両側縁に熱シールするとともに、上端の袋口２４における折り込み重合部も熱シールするなどして固定から上記ファスナ２３を取付ける。図中２８は交差部である。
【００３３】
（実施の形態３）
図４は、商品の包装等に用いるのに適した偏平な袋状容器２１であって、この袋状容器２１は、柔軟な合成樹脂製のシート状体２２で形成され、上端縁に紐２９を通して保持し、袋口２４の開閉を可能にした構成で、２つの袋面２１ａ，２１ａを有する。
【００３４】
この袋状容器２１では、上記実施の形態２に示したよう袋状容器２１とは異なり、横１本の折り込み重合部２６を２つの袋面２１ａ，２１ａで共用している。
【００３５】
すなわち、折り返し線２７で半分に折り返した後、袋口２４を形成する部分以外の左右両側縁を熱シールして形成する袋状容器２１は、熱シールに先だって、上記各実施の形態と同様の縦２本の折り込み重合部２５，２５を、展開した状態のシート状体２２に形成する。次に、上記折り返し線２７で谷折りして、底部に適宜幅の逆Ｖ字形の折り込み部３０を形成する。この折り込み部３０が上記横の折り込み重合部２６である。
【００３６】
このように、実施の形態２および３に示したように、袋状容器２１の形成は、袋状容器２１の両袋面２１ａ，２１ａを形成する大きさのシート状体２２を用い、このシート状体２２に複数本の折り込み重合部２５，２５，２６を形成するとともに、折り返し線２７で半分に折り、この折曲により対応する縁部同士を袋口２４を残して接合すればよい。折って接合するだけでよいので、加工は簡単で費用を抑えることもできる。また、袋状容器２１は、シート状体２２を重ねた偏平な形状であるので、コンパクトで場所を取らず、取扱いも容易である。
【００３７】
なお、折り込み重合部１１，１２，２５，２６は同一の方向に複数本重ねて形成するもよく、この場合には、折り込み重合部１１，１２，２５，２６の幅が狭くとも厚み出しを大きくできる。また、折り込み重合部１１，１２，２５，２６は斜めに形成したりするもよく、折り込み重合部１１，１２，２５，２６は、袋部９や袋状容器２１の形状に合わせて適宜形成するとよい。
【００３８】
また、折り込み重合部１１，１２，２５，２６が交差している交差部１３，２８が物品の収納等で広がると、その交差部１３，２８は容易には元に戻らない特徴がある。このため、例えば、この薄型袋部の厚み出し構造を包装用の袋状容器に用いれば、上記特徴を生かして、容易に不正防止に利用することができる。
【００３９】
さらに、上記各実施の形態では、シート状体１０，２２に合成樹脂製のものを用いたが、その他の材料、例えば布地や紙等からなるシート状体を用いて袋部９や袋状容器２１を形成するもよい。
【００４０】
【発明の効果】
以上のようにこの発明によれば、折り込み重合部の存在のため、厚みのある物品を収容できる薄く偏平な袋部を形成できる。しかも、折り込み重合部を複数本形成し、交差する交差部を形成しているので、厚み出しは充分に行える。またその形成は、シート状体を折って接合するだけであるので、製造は簡単で、費用を抑えることもできる。
【図面の簡単な説明】
【図１】  紙葉類ホルダの斜視図。
【図２】  シート状体による袋部の形成過程を示す平面図。
【図３】  袋状容器の一部破断斜視図。
【図４】  袋状容器の一部破断斜視図。
【符号の説明】
１…紙葉類ホルダ
２…板部
３…挟持板
９…袋部
９ａ…袋面
１０…シート状体
１１，１２…折り込み重合部
１３…交差部
１４…袋口
２１…袋状容器
２１ａ…袋面
２２…シート状体
２４…袋口
２５，２６…折り込み重合部
２８…交差部
３０…折り込み部
【図１】
0003740365.tif 000002
【図２】
0003740365.tif 000003
【図３】
0003740365.tif 000004
【図４】
0003740365.tif 000005